(57)【特許請求の範囲】
【請求項１】
金属やプラスチック材などの硬質材で形成される帽体と、前記帽体の内周面に両端を連結する一対の耳紐と、一対の前記耳紐を連結する顎紐とを備え、前記耳紐及び前記顎紐が帯状であるヘルメットであって、
前記耳紐と前記顎紐とをバックルによって連結し、
前記バックルの一端側には前記耳紐を保持する扇部を形成し、
前記バックルの他端側には前記顎紐を保持する連結部を形成し、
前記扇部には、前記連結部側に第１の開口部を、前記連結部と反対側に第２の開口部及び第３の開口部を形成し、
前記耳紐は、前記第２の開口部に挿通された後に、前記第１の開口部で折り返して、前記第３の開口部に挿通され、
前記第２の開口部から前記第１の開口部までの間には前記耳紐を規制する第１のガイド溝を形成し、
前記第１の開口部から前記第３の開口部までの間には前記耳紐を規制する第２のガイド溝を形成し、
前記第１のガイド溝を前記扇部の一方の面に配置し、
前記第２のガイド溝を前記扇部の他方の面に配置し、
前記第１のガイド溝と前記第２のガイド溝とを所定角度を持って配置したことを特徴とするヘルメット。
【請求項２】
前記第１のガイド溝の底面を、前記第１の開口部から前記第２の開口部に向かって、前記扇部の他方の前記面側に傾斜させ、前記第２のガイド溝の底面を、前記第１の開口部から前記第３の開口部に向かって、前記扇部の一方の前記面側に傾斜させたことを特徴とする請求項１に記載のヘルメット。
【請求項３】
前記連結部を、一方の面状板部と他方の面状板部との間に形成される空洞部と、前記空洞部の両端に配置される押圧部材とによって雌型連結部とし、前記雌型連結部に連結される雄型バックルに前記顎紐を保持し、一方の前記面状板部の端部を、他方の前記面状板部の端部よりも突出させたことを特徴とする請求項１又は請求項２に記載のヘルメット。
【請求項４】
前記雌型連結部と前記雄型バックルとが当接する雌側当接面の角又は雄側当接面の角をテーパ形状としたことを特徴とする請求項３に記載のヘルメット。
【請求項５】
前記連結部を、前記第１の開口部と平行に形成した第４の開口部によって構成したことを特徴とする請求項１又は請求項２に記載のヘルメット。
【請求項６】
金属やプラスチック材などの硬質材で形成される帽体と、前記帽体の内周面に両端を連結する一対の耳紐と、一対の前記耳紐を連結する顎紐とを備え、前記耳紐及び前記顎紐が帯状であるヘルメットであって、
前記耳紐と前記顎紐とをバックルによって連結し、
前記バックルの一端側には前記耳紐を保持する扇部を形成し、
前記バックルの他端側には前記顎紐を保持する連結部を形成し、
前記扇部には、前記連結部側に第１の開口部を、前記連結部と反対側に第２の開口部及び第３の開口部を形成し、
前記耳紐は、前記第２の開口部に挿通された後に、前記第１の開口部で折り返して、前記第３の開口部に挿通され、
前記第２の開口部から前記第１の開口部までの間には前記耳紐を規制する第１のガイド溝を形成し、
前記第２の開口部から前記第３の開口部までの間には前記耳紐を規制する第２のガイド溝を形成し、
前記第１のガイド溝を前記扇部の一方の面に配置し、
前記第２のガイド溝を前記扇部の他方の面に配置し、
前記第１のガイド溝と前記第２のガイド溝とを所定角度を持って配置し、
前記バックルとして、一方の前記耳紐と前記顎紐の一端を連結する第１のバックルと、他方の前記耳紐と前記顎紐の他端を連結する第２のバックルとで構成し、
前記第１のバックルにおける前記連結部を、一方の面状板部と他方の面状板部との間に形成される空洞部と、前記空洞部の両端に配置される押圧部材とによって雌型連結部とし、
前記第２のバックルにおける前記連結部を、前記第１の開口部と平行に形成した第４の開口部によって構成したことを特徴とするヘルメット。
【請求項７】
前記第１のバックルに保持される前記耳紐に第１の長さ調整部を、前記第２のバックルに保持される前記耳紐に第２の長さ調整部をそれぞれ設けたことを特徴とする請求項６に記載のヘルメット。
【請求項８】
一方の帯状の紐と他方の帯状の紐とを連結する帯紐用バックルであって、
一端側には一方の前記紐を保持する扇部を形成し、
他端側には他方の前記紐を保持する連結部を形成し、
前記扇部には、前記連結部側に第１の開口部を、前記連結部と反対側に第２の開口部及び第３の開口部を形成し、
一方の前記紐は、前記第２の開口部に挿通された後に、前記第１の開口部で折り返して、前記第３の開口部に挿通され、
前記第２の開口部から前記第１の開口部までの間には一方の前記紐を規制する第１のガイド溝を形成し、
前記第１の開口部から前記第３の開口部までの間には一方の前記紐を規制する第２のガイド溝を形成し、
前記第１のガイド溝を前記扇部の一方の面に配置し、
前記第２のガイド溝を前記扇部の他方の面に配置し、
前記第１のガイド溝と前記第２のガイド溝とを所定角度を持って配置したことを特徴とする帯紐用バックル。
【請求項９】
前記第１のガイド溝の底面を、前記第１の開口部から前記第２の開口部に向かって、前記扇部の他方の前記面側に傾斜させ、前記第２のガイド溝の底面を、前記第１の開口部から前記第３の開口部に向かって、前記扇部の一方の前記面側に傾斜させたことを特徴とする請求項８に記載の帯紐用バックル。
【請求項１０】
前記連結部を、一方の面状板部と他方の面状板部との間に形成される空洞部と、前記空洞部の両端に配置される押圧部材とによって雌型連結部とし、前記雌型連結部に連結される雄型バックルに他方の前記紐を保持し、一方の前記面状板部の端部を、他方の前記面状板部の端部よりも突出させたことを特徴とする請求項８又は請求項９に記載の帯紐用バックル。
【請求項１１】
前記雌型連結部と前記雄型バックルとが当接する雌側当接面の角又は雄側当接面の角をテーパ形状としたことを特徴とする請求項１０に記載の帯紐用バックル。
【請求項１２】
前記連結部を、前記第１の開口部と平行に形成した第４の開口部によって構成したことを特徴とする請求項８又は請求項９に記載の帯紐用バックル。
【発明の詳細な説明】
【技術分野】
【０００１】
本発明は、例えば、建築、土木、工場、医療、災害、消防、警備などの現場で用いられるヘルメット、及び例えばヘルメットの顎紐などに用いられる帯紐用バックルに関する。
【背景技術】
【０００２】
従来の一般的なヘルメットを図１２に示す。
ヘルメット１１０には、帽体の内周面に両端を連結する一対の耳紐１２０と、一対の耳紐１２０を連結する顎紐１２３とを備え、顎紐１２３に着脱用のバックル１３０が設けられている。
なお、バックルの交換を目的としたヘルメット用顎紐について提案されたものがある（特許文献１）。ここで、特許文献１には、耳紐の折り返し箇所にバックルを設け、このバックルで耳紐をＶ字状に折り返す構成が示されている（特許文献１の図８に示される従来技術）。また、特許文献１には、耳紐の折り返し箇所に調整具を設け、この調整具によって耳紐が実質的に折り返されることで、ねじれが生じにくい構成となっている（特許文献１の図１から図７に示される実施例）。
【先行技術文献】
【特許文献】
【０００３】
【特許文献１】特開平１１−２２９２２４号公報
【発明の概要】
【発明が解決しようとする課題】
【０００４】
従来の一般的なヘルメット１１０では、図１２の丸枠に示すように耳紐１２０にねじれを生じてしまうことが多い。また顎下に位置するバックル１３０は装脱着がしにくく、肉ばさみを起こしやすいという問題があった。
一方、特許文献１では、耳紐の折り返し箇所にバックルを設ける構成の他に、耳紐の折り返し箇所に調整具を設ける構成が示され、図１２に示される構成と比較すると耳紐にねじれを生じにくい構成となっている。
しかし、特許文献１における耳紐の折り返し箇所にバックルを設ける構成では、スリット状の長孔によって耳紐を折り返しているにすぎないため、耳紐とバックルとが滑りやすく、この滑りによって耳紐にねじれを生じる場合がある。また、特許文献１における耳紐の折り返し箇所に調整具を設ける構成では、調整具に２つの長孔が形成され、この長孔によって一端側の耳紐と他端側の耳紐とを所定角度に維持している。従って、バックルによって折り返す構成よりもねじれは生じにくいと考えられるが、調整具の折り返し箇所に配置されるリング体との位置関係によっては、耳紐とバックルとが滑りやすく、この滑りによって調整具に対して耳紐が滑ることで耳紐にねじれを生じる場合がある。
【０００５】
そこで本発明は、耳紐にねじれを生じにくいヘルメット、及びねじれを生じにくい帯紐用バックルを提供することを目的とする。
【課題を解決するための手段】
【０００６】
請求項１記載の本発明のヘルメットは、金属やプラスチック材などの硬質材で形成される帽体と、前記帽体の内周面に両端を連結する一対の耳紐と、一対の前記耳紐を連結する顎紐とを備え、前記耳紐及び前記顎紐が帯状であるヘルメットであって、前記耳紐と前記顎紐とをバックルによって連結し、前記バックルの一端側には前記耳紐を保持する扇部を形成し、前記バックルの他端側には前記顎紐を保持する連結部を形成し、前記扇部には、前記連結部側に第１の開口部を、前記連結部と反対側に第２の開口部及び第３の開口部を形成し、前記耳紐は、前記第２の開口部に挿通された後に、前記第１の開口部で折り返して、前記第３の開口部に挿通され、前記第２の開口部から前記第１の開口部までの間には前記耳紐を規制する第１のガイド溝を形成し、前記第１の開口部から前記第３の開口部までの間には前記耳紐を規制する第２のガイド溝を形成し、前記第１のガイド溝を前記扇部の一方の面に配置し、前記第２のガイド溝を前記扇部の他方の面に配置し、前記第１のガイド溝と前記第２のガイド溝とを所定角度を持って配置したことを特徴とする。
請求項２記載の本発明は、請求項１に記載のヘルメットにおいて、前記第１のガイド溝の底面を、前記第１の開口部から前記第２の開口部に向かって、前記扇部の他方の前記面側に傾斜させ、前記第２のガイド溝の底面を、前記第１の開口部から前記第３の開口部に向かって、前記扇部の一方の前記面側に傾斜させたことを特徴とする。
請求項３記載の本発明は、請求項１又は請求項２に記載のヘルメットにおいて、前記連結部を、一方の面状板部と他方の面状板部との間に形成される空洞部と、前記空洞部の両端に配置される押圧部材とによって雌型連結部とし、前記雌型連結部に連結される雄型バックルに前記顎紐を保持し、一方の前記面状板部の端部を、他方の前記面状板部の端部よりも突出させたことを特徴とする。
請求項４記載の本発明は、請求項３に記載のヘルメットにおいて、前記雌型連結部と前記雄型バックルとが当接する雌側当接面の角又は雄側当接面の角をテーパ形状としたことを特徴とする。
請求項５記載の本発明は、請求項１又は請求項２に記載のヘルメットにおいて、前記連結部を、前記第１の開口部と平行に形成した第４の開口部によって構成したことを特徴とする。
請求項６記載の本発明のヘルメットは、金属やプラスチック材などの硬質材で形成される帽体と、前記帽体の内周面に両端を連結する一対の耳紐と、一対の前記耳紐を連結する顎紐とを備え、前記耳紐及び前記顎紐が帯状であるヘルメットであって、前記耳紐と前記顎紐とをバックルによって連結し、前記バックルの一端側には前記耳紐を保持する扇部を形成し、前記バックルの他端側には前記顎紐を保持する連結部を形成し、前記扇部には、前記連結部側に第１の開口部を、前記連結部と反対側に第２の開口部及び第３の開口部を形成し、前記耳紐は、前記第２の開口部に挿通された後に、前記第１の開口部で折り返して、前記第３の開口部に挿通され、前記第２の開口部から前記第１の開口部までの間には前記耳紐を規制する第１のガイド溝を形成し、前記第２の開口部から前記第３の開口部までの間には前記耳紐を規制する第２のガイド溝を形成し、前記第１のガイド溝を前記扇部の一方の面に配置し、前記第２のガイド溝を前記扇部の他方の面に配置し、前記第１のガイド溝と前記第２のガイド溝とを所定角度を持って配置し、前記バックルとして、一方の前記耳紐と前記顎紐の一端を連結する第１のバックルと、他方の前記耳紐と前記顎紐の他端を連結する第２のバックルとで構成し、前記第１のバックルにおける前記連結部を、一方の面状板部と他方の面状板部との間に形成される空洞部と、前記空洞部の両端に配置される押圧部材とによって雌型連結部とし、前記第２のバックルにおける前記連結部を、前記第１の開口部と平行に形成した第４の開口部によって構成したことを特徴とする。
請求項７記載の本発明は、請求項６に記載のヘルメットにおいて、前記第１のバックルに保持される前記耳紐に第１の長さ調整部を、前記第２のバックルに保持される前記耳紐に第２の長さ調整部をそれぞれ設けたことを特徴とする。
請求項８記載の本発明の帯紐用バックルは、一方の帯状の紐と他方の帯状の紐とを連結する帯紐用バックルであって、一端側には一方の前記紐を保持する扇部を形成し、他端側には他方の前記紐を保持する連結部を形成し、前記扇部には、前記連結部側に第１の開口部を、前記連結部と反対側に第２の開口部及び第３の開口部を形成し、一方の前記紐は、前記第２の開口部に挿通された後に、前記第１の開口部で折り返して、前記第３の開口部に挿通され、前記第２の開口部から前記第１の開口部までの間には一方の前記紐を規制する第１のガイド溝を形成し、前記第１の開口部から前記第３の開口部までの間には一方の前記紐を規制する第２のガイド溝を形成し、前記第１のガイド溝を前記扇部の一方の面に配置し、前記第２のガイド溝を前記扇部の他方の面に配置し、前記第１のガイド溝と前記第２のガイド溝とを所定角度を持って配置したことを特徴とする。
請求項９記載の本発明は、請求項８に記載の帯紐用バックルにおいて、前記第１のガイド溝の底面を、前記第１の開口部から前記第２の開口部に向かって、前記扇部の他方の前記面側に傾斜させ、前記第２のガイド溝の底面を、前記第１の開口部から前記第３の開口部に向かって、前記扇部の一方の前記面側に傾斜させたことを特徴とする。
請求項１０記載の本発明は、請求項８又は請求項９に記載の帯紐用バックルにおいて、前記連結部を、一方の面状板部と他方の面状板部との間に形成される空洞部と、前記空洞部の両端に配置される押圧部材とによって雌型連結部とし、前記雌型連結部に連結される雄型バックルに他方の前記紐を保持し、一方の前記面状板部の端部を、他方の前記面状板部の端部よりも突出させたことを特徴とする。
請求項１１記載の本発明は、請求項１０に記載の帯紐用バックルにおいて、前記雌型連結部と前記雄型バックルとが当接する雌側当接面の角又は雄側当接面の角をテーパ形状としたことを特徴とする。
請求項１２記載の本発明は、請求項８又は請求項９に記載の帯紐用バックルにおいて、前記連結部を、前記第１の開口部と平行に形成した第４の開口部によって構成したことを特徴とする。
【発明の効果】
【０００７】
本発明によれば、バックルにおける耳紐の保持を、第１のガイド溝と第２のガイド溝によって行い、耳紐は第１のガイド溝と第２のガイド溝とに沿って所定角度を持って保持されるため、耳紐にねじれを生じることが無い。
また、本発明によれば、２つのバックルをそれぞれ耳下位置に配置することで肉ばさみを防止することができる。
また、本発明によれば、バックルにおける一方の紐の保持を、第１のガイド溝と第２のガイド溝によって行い、一方の紐は第１のガイド溝と第２のガイド溝とに沿って所定角度を持って保持されるため、一方の紐にねじれを生じることが無い。
【図面の簡単な説明】
【０００８】
【図１】本発明の一実施例によるヘルメットを装着した状態を示す一方の側面図
【図２】同ヘルメットを着用した状態を示す他方の側面図
【図３】同ヘルメットに用いる第１のバックルを構成する雌型バックルの斜視図
【図４】同ヘルメットに用いる第１のバックルの雄型バックルを構成する斜視図
【図５】同ヘルメットに用いる第１のバックルの平面図
【図６】同ヘルメットに用いる第１のバックルの底面図
【図７】同ヘルメットに用いる第２のバックルの斜視図
【図８】図８は同ヘルメットに用いる第２のバックルに耳紐及び顎紐を挿通した状態を示す斜視図
【図９】同ヘルメットに用いる第２のバックルの平面図
【図１０】同ヘルメットに用いる長さ調整部の斜視図
【図１１】同長さ調整部に耳紐又は顎紐を挿通した状態を示す斜視図
【図１２】従来の一般的なヘルメットを装着した状態を示す斜視図
【発明を実施するための形態】
【０００９】
本発明の第１の実施の形態によるヘルメットは、脚耳紐と顎紐とをバックルによって連結し、バックルの一端側には耳紐を保持する扇部を形成し、バックルの他端側には顎紐を保持する連結部を形成し、扇部には、連結部側に第１の開口部を、連結部と反対側に第２の開口部及び第３の開口部を形成し、耳紐は、第２の開口部に挿通された後に、第１の開口部で折り返して、第３の開口部に挿通され、第２の開口部から第１の開口部までの間には耳紐を規制する第１のガイド溝を形成し、第１の開口部から第３の開口部までの間には耳紐を規制する第２のガイド溝を形成し、第１のガイド溝を扇部の一方の面に配置し、第２のガイド溝を扇部の他方の面に配置し、第１のガイド溝と第２のガイド溝とを所定角度を持って配置したものである。本実施の形態によれば、バックルにおける耳紐の保持を、第１のガイド溝と第２のガイド溝によって行い、耳紐は第１のガイド溝と第２のガイド溝とに沿って所定角度を持って保持されるため、耳紐にねじれを生じることが無い。
本発明の第２の実施の形態は、第１の実施の形態によるヘルメットにおいて、第１のガイド溝の底面を、第１の開口部から第２の開口部に向かって、扇部の他方の面側に傾斜させ、第２のガイド溝の底面を、第１の開口部から第３の開口部に向かって、扇部の一方の面側に傾斜させたものである。本実施の形態によれば、それぞれの傾斜させた底面によって、第１の開口部でＶ字状に折り曲げられる耳紐は、扇部を挟み込むように規制されるため、バックルと耳紐との位置ずれが生じにくい。
本発明の第３の実施の形態は、第１又は第２の実施の形態によるヘルメットにおいて、連結部が、一方の面状板部と他方の面状板部との間に形成される空洞部と、空洞部の両端に配置される押圧部材とによって雌型連結部を構成し、雌型連結部に連結される雄型バックルに顎紐を保持し、一方の面状板部の端部を、他方の面状板部の端部よりも突出させたものである。本実施の形態によれば、一方の面状板部の端部を、他方の面状板部の端部よりも突出させているので、雄型バックルの雌型連結部への挿入が容易となる。
本発明の第４の実施の形態は、第３の実施の形態によるヘルメットにおいて、雌型連結部と雄型バックルとが当接する雌側当接面の角又は雄側当接面の角をテーパ形状としたものである。本実施の形態によれば、雌側当接面の角又は雄側当接面の角をテーパ形状として、雌側当接面の角と雄側当接面の角とが当接しないために、肉ばさみを防止することができる。
本発明の第５の実施の形態は、第１又は第２の実施の形態によるヘルメットにおいて、連結部を、第１の開口部と平行に形成した第４の開口部によって構成したものである。本実施の形態によれば、第１の開口部と第４の開口部を用いて顎紐を保持することができる。
本発明の第６の実施の形態によるヘルメットは、耳紐と顎紐とをバックルによって連結し、バックルの一端側には耳紐を保持する扇部を形成し、バックルの他端側には顎紐を保持する連結部を形成し、扇部には、連結部側に第１の開口部を、連結部と反対側に第２の開口部及び第３の開口部を形成し、耳紐は、第２の開口部に挿通された後に、第１の開口部で折り返して、第３の開口部に挿通され、第２の開口部から第１の開口部までの間には耳紐を規制する第１のガイド溝を形成し、第２の開口部から第３の開口部までの間には耳紐を規制する第２のガイド溝を形成し、第１のガイド溝を扇部の一方の面に配置し、第２のガイド溝を扇部の他方の面に配置し、第１のガイド溝と第２のガイド溝とを所定角度を持って配置し、バックルとして、一方の耳紐と顎紐の一端を連結する第１のバックルと、他方の耳紐と顎紐の他端を連結する第２のバックルとで構成し、第１のバックルにおける連結部を、一方の面状板部と他方の面状板部との間に形成される空洞部と、空洞部の両端に配置される押圧部材とによって雌型連結部とし、第２のバックルにおける連結部を、第１の開口部と平行に形成した第４の開口部によって構成したものである。本実施の形態によれば、２つのバックルをそれぞれ耳下位置に配置することで肉ばさみを防止することができる。
本発明の第７の実施の形態は、第６の実施の形態によるヘルメットにおいて、第１のバックルに保持される耳紐に第１の長さ調整部を、第２のバックルに保持される耳紐に第２の長さ調整部をそれぞれ設けたものである。本実施の形態によれば、一対の耳紐を独立して長さ調整できるため、フィット感に優れている。
本発明の第８の実施の形態による帯紐用バックルにおいて、一端側には一方の紐を保持する扇部を形成し、他端側には他方の紐を保持する連結部を形成し、扇部には、連結部側に第１の開口部を、連結部と反対側に第２の開口部及び第３の開口部を形成し、一方の紐は、第２の開口部に挿通された後に、第１の開口部で折り返して、第３の開口部に挿通され、第２の開口部から第１の開口部までの間には一方の紐を規制する第１のガイド溝を形成し、第２の開口部から第３の開口部までの間には一方の紐を規制する第２のガイド溝を形成し、第１のガイド溝を扇部の一方の面に配置し、第２のガイド溝を扇部の他方の面に配置し、第１のガイド溝と第２のガイド溝とを所定角度を持って配置したものである。本実施の形態によれば、バックルにおける一方の紐の保持を、第１のガイド溝と第２のガイド溝によって行い、一方の紐は第１のガイド溝と第２のガイド溝とに沿って所定角度を持って保持されるため、一方の紐にねじれを生じることが無い。
本発明の第９の実施の形態は、第８の実施の形態による帯紐用バックルにおいて、第１のガイド溝の底面を、第１の開口部から第２の開口部に向かって、扇部の他方の面側に傾斜させ、第２のガイド溝の底面を、第１の開口部から第３の開口部に向かって、扇部の一方の面側に傾斜させたものである。本実施の形態によれば、それぞれの傾斜させた底面によって、第１の開口部でＶ字状に折り曲げられる紐は、扇部を挟み込むように規制されるため、バックルと紐との位置ずれが生じにくい。
本発明の第１０の実施の形態は、第８又は第９の実施の形態による帯紐用バックルにおいて、連結部を、一方の面状板部と他方の面状板部との間に形成される空洞部と、空洞部の両端に配置される押圧部材とによって雌型連結部とし、雌型連結部に連結される雄型バックルに他方の紐を保持し、一方の面状板部の端部を、他方の面状板部の端部よりも突出させたものである。本実施の形態によれば、一方の面状板部の端部を、他方の面状板部の端部よりも突出させているので、雄型バックルの雌型連結部への挿入が容易となる。
本発明の第１１の実施の形態は、第１０の実施の形態による帯紐用バックルにおいて、雌型連結部と雄型バックルとが当接する雌側当接面の角又は雄側当接面の角をテーパ形状としたものである。本実施の形態によれば、雌側当接面の角又は雄側当接面の角をテーパ形状として、雌側当接面の角と雄側当接面の角とが当接しないために、肉ばさみを防止することができる。
本発明の第１２の実施の形態は、第８又は第９の実施の形態による帯紐用バックルにおいて、連結部を、第１の開口部と平行に形成した第４の開口部によって構成したものである。本実施の形態によれば、第１の開口部と第４の開口部を用いて他方の紐を保持することができる。
【実施例】
【００１０】
以下本発明の実施例について図面とともに詳細に説明する。
図１は本発明の一実施例によるヘルメットを装着した状態を示す一方の側面図、図２は同ヘルメットを着用した状態を示す他方の側面図、図３は同ヘルメットに用いる第１のバックルを構成する雌型バックルの斜視図、図４は同ヘルメットに用いる第１のバックルの雄型バックルを構成する斜視図、図５は同ヘルメットに用いる第１のバックルの平面図、図６は同ヘルメットに用いる第１のバックルの底面図、図７は同ヘルメットに用いる第２のバックルの斜視図、図８は同ヘルメットに用いる第２のバックルに耳紐及び顎紐を挿通した状態を示す斜視図、図９は同ヘルメットに用いる第２のバックルの平面図、図１０は同ヘルメットに用いる長さ調整部の斜視図、図１１は同長さ調整部に耳紐又は顎紐を挿通した状態を示す斜視図である。
【００１１】
図１及び図２に示すように、ヘルメット１０は、金属やプラスチック材などの硬質材で形成される帽体１１と、装着者の頭部周囲を囲繞するヘッドバンド１２と、帽体１１の前頭部側にシールド１３とを備えている。なお、帽体１１の内部には、図示しないが、衝撃吸収用のライナーと、このライナーよりも更に頭部側にハンモックとを備えている。また、ヘッドバンド１２には、装着者の頭部に合わせてサイズを変更できるサイズ調整機能を備え、このサイズ調整機能は頭部側に配置される。
帽体１１の両側部には、帽体１１の内周面に両端を連結する一対の耳紐２１、２２を備え、一対の耳紐２１、２２は顎紐２３によって連結されている。耳紐２１、２２及び顎紐２３は所定幅を有する帯状の紐である。
図１に示すように、一方の耳紐２１は、帽体１１の側頭部前方に一端を連結した前側耳紐２１Ａと、帽体１１の側頭部後方に一端を連結した後側耳紐２１Ｂによって構成されている。前側耳紐２１Ａは、第１のバックル３０に挿通され、他端側で長さ調整部５０に連結される。後側耳紐２１Ｂは、他端側で長さ調整部５０に連結される。従って、前側耳紐２１Ａと後側耳紐２１Ｂとは長さ調整部５０によって連結される。
図２に示すように、他方の耳紐２２は、帽体１１の側頭部前方に一端を連結した前側耳紐２２Ａと、帽体１１の側頭部後方に一端を連結した後側耳紐２２Ｂによって構成されている。前側耳紐２２Ａは、第２のバックル４０に挿通され、他端側で長さ調整部５０に連結される。後側耳紐２２Ｂは、他端側で長さ調整部５０に連結される。従って、前側耳紐２２Ａと後側耳紐２２Ｂとは長さ調整部５０によって連結される。
顎紐２３の一端側は、図１に示すように第１のバックル３０によって前側耳紐２１Ａと連結され、顎紐２３の他端側は、図２に示すように第２のバックル４０によって前側耳紐２２Ａと連結される。
【００１２】
次に、図３から図６を用いて第１のバックル３０について説明する。
第１のバックル３０の一端側には耳紐を保持する扇部３０Ａを形成し、バックルの他端側には顎紐を保持する連結部３０Ｂを形成している。
扇部３０Ａには、連結部３０Ｂ側に第１の開口部３１Ａを、連結部３０Ｂと反対側に第２の開口部３１Ｂ及び第３の開口部３１Ｃを形成している。第２の開口部３１Ｂから第１の開口部３１Ａまでの間には前側耳紐２１Ａを規制する第１のガイド溝３２Ａを形成し、第１の開口部３１Ａから第３の開口部３１Ｃまでの間には前側耳紐２１Ａを規制する第２のガイド溝３２Ｂを形成している。第１のガイド溝３２Ａは扇部３０Ａの一方の面に配置し、第２のガイド溝３２Ｂは扇部３０Ａの他方の面に配置し、第１のガイド溝３２Ａと第２のガイド溝３２Ｂとは所定角度を持って配置している。第１のガイド溝３２Ａの底面は、第１の開口部３１Ａから第２の開口部３１Ｂに向かって、扇部３０Ａの他方の面側に傾斜しており、第２のガイド溝３２Ｂの底面は、第１の開口部３１Ａから第３の開口部３１Ｃに向かって、扇部３０Ａの一方の面側に傾斜している。
前側耳紐２１Ａは、第２の開口部３１Ｂに挿通された後に、第１の開口部３１Ａで折り返して、第３の開口部３１Ｃに挿通される。
連結部３０Ｂは、一方の面状板部３３Ａと他方の面状板部３３Ｂとの間に形成される空洞部３４と、空洞部３４の両端に配置される押圧部材３５とによって雌型連結部を構成している。一方の面状板部３３Ａの端部は凸状湾曲部となっており、他方の面状板部３３Ｂの端部は凹状湾曲部となっており、面状板部３３Ａの端部は、他方の面状板部３３Ｂの端部よりも突出させている。空洞部３４の挿入側端部の両側部には孔３４Ａが形成されている。
【００１３】
連結部３０Ｂに連結される雄型バックル３０Ｃは、空洞部３４に挿入される突起部３６を一端側に、顎紐を保持する接続部３７を他端側に形成している。突起部３６は、空洞部３４に挿入される先端側が、接続部３７側に対して薄くなるようにテーパが設けられている。このように突起部３６にテーパを設けることで空洞部３４への挿入が容易となる。突起部３６は中央部材３６Ａと両側部材３６Ｂから構成されている。両側部材３６Ｂは、中央部材３６Ａの先端において突起部３６と一体に接合され、接続部３７側に延出した構成となっており、両側部材３６Ｂは中央部材３６Ａに対して弾性変形可能な構成となっている。両側部材３６Ｂは、無負荷状態では空洞部３４の幅よりも外方に位置するように構成され、両側方向からの負荷によって中央部材３６Ａ側に弾性変形する。また、両側部材３６Ｂは、両側方向からの負荷が加わった状態では空洞部３４の幅内に位置する。両側部材３６Ｂが空洞部３４の孔３４Ａに位置した状態で、雄型バックル３０Ｃが連結部３０Ｂに連結された状態となる。
接続部３７は、長孔３７Ａと、この長孔３７Ａを長手方向に仕切るブリッジ３７Ｂとを備えている。長孔３７Ａはブリッジ３７Ｂによって二つの開口部を形成する。長孔３７Ａは、雄型バックル３０Ｃが連結部３０Ｂに連結された状態において、第１の開口部３１Ａと平行となるように配置されている。接続部３７の突起部３６側は、面状板部３３Ｂの端部における凹状湾曲部に対応する凸状湾曲部によって雄側当接面３７Ｃを形成している。この雄側当接面３７Ｃの角３７Ｄは曲面によって構成されたテーパ形状となっている。
【００１４】
本実施例によれば、前側耳紐２１Ａの保持を、第１のガイド溝３２Ａと第２のガイド溝３２Ｂによって行い、前側耳紐２１Ａは第１のガイド溝３２Ａと第２のガイド溝３２Ｂとに沿って所定角度を持って保持されるため、前側耳紐２１Ａにねじれを生じることが無い。
また本実施例によれば、第１のガイド溝３２Ａと第２のガイド溝３２Ｂの底面がそれぞれ傾斜しているため、第１の開口部３１ＡでＶ字状に折り曲げられる前側耳紐２１Ａは、扇部３０Ａを挟み込むように配置されるため、第１のバックル３０と前側耳紐２１Ａとの位置ずれが生じにくい。
また本実施例では、一方の面状板部３３Ａの端部を、他方の面状板部３３Ｂの端部よりも突出させているので、雄型バックル３０Ｃの連結部３０Ｂへの挿入が容易となる。
なお、本実施例においては、雄側当接面３７Ｃの角３７Ｄをテーパ形状としているが、面状板部３３Ｂの端部の角をテーパ形状としてもよい。このように、連結部３０Ｂと雄型バックル３０Ｃとが当接する雄側当接面３７Ｃの角３７Ｄ及び面状板部３３Ｂの端部の角の少なくとも一方をテーパ形状とすることで、雄側当接面３７Ｃの角３７Ｄと、雌側当接面となる面状板部３３Ｂの端部の角とが当接しないために、肉ばさみを防止することができる。
【００１５】
次に、図７から図９を用いて第２のバックル４０について説明する。
第２のバックル４０の一端側には耳紐２１、２２を保持する扇部４０Ａを形成し、第２のバックル４０の他端側には顎紐２３を保持する連結部４０Ｂを形成している。
扇部４０Ａには、連結部４０Ｂ側に第１の開口部４１Ａを、連結部４０Ｂと反対側に第２の開口部４１Ｂ及び第３の開口部４１Ｃを形成している。第２の開口部４１Ｂから第１の開口部４１Ａまでの間には前側耳紐２２Ａを規制する第１のガイド溝４２Ａを形成し、第１の開口部４１Ａから第３の開口部４１Ｃまでの間には前側耳紐２２Ａを規制する第２のガイド溝４２Ｂを形成している。第１のガイド溝４２Ａは扇部４０Ａの一方の面に配置し、第２のガイド溝４２Ｂは扇部４０Ａの他方の面に配置し、第１のガイド溝４２Ａと第２のガイド溝４２Ｂとは所定角度を持って配置している。第１のガイド溝４２Ａの底面は、第１の開口部４１Ａから第２の開口部４１Ｂに向かって、扇部４０Ａの他方の面側に傾斜しており、第２のガイド溝４２Ｂの底面は、第１の開口部４１Ａから第３の開口部４１Ｃに向かって、扇部４０Ａの一方の面側に傾斜している。
前側耳紐２２Ａは、第２の開口部４１Ｂに挿通された後に、第１の開口部４１Ａで折り返して、第３の開口部４１Ｃに挿通される。
連結部４０Ｂは、第１の開口部４１Ａと平行に形成した第４の開口部４７Ａによって構成したものである。
【００１６】
本実施例によれば、第１の開口部４１Ａと第４の開口部４７Ａを用いて顎紐２３を保持することができる。
本実施例によれば、前側耳紐２２Ａの保持を、第１のガイド溝４２Ａと第２のガイド溝４２Ｂによって行い、前側耳紐２２Ａは第１のガイド溝４２Ａと第２のガイド溝４２Ｂとに沿って所定角度を持って保持されるため、前側耳紐２２Ａにねじれを生じることが無い。
また本実施例によれば、第１のガイド溝４２Ａと第２のガイド溝４２Ｂの底面がそれぞれ傾斜しているため、第１の開口部４１ＡでＶ字状に折り曲げられる前側耳紐２２Ａは、扇部４０Ａを挟み込むように配置されるため、第２のバックル４０と前側耳紐２２Ａとの位置ずれが生じにくい。
【００１７】
次に、図１０と図１１を用いて長さ調整部５０について説明する。
長さ調整部５０は、長孔５１と、この長孔５１を長手方向に仕切るブリッジ５２とを備えている。長孔５１はブリッジ５２によって二つの開口部を形成する。長さ調整部５０は、ブリッジ５２を稜線とする山形形状に湾曲させている。このように山形形状に湾曲させることで耳紐２１、２２を滑りにくくすることができる。
長さ調整部５０は、図１に示すように、第１のバックル３０に保持される前側耳紐２１Ａと後側耳紐２１Ｂとの連結部、図２に示すように、第２のバックル４０に保持される前側耳紐２２Ａと後側耳紐２２Ｂとの連結部にそれぞれ設けている。本実施例によれば、長さ調整部５０によって一対の耳紐２１、２２を独立して長さ調整できるため、フィット感に優れている。
【００１８】
以上のように本実施例によれば、バックル３０、４０における耳紐２１、２２の保持を、第１のガイド溝３２Ａ、４２Ａと第２のガイド溝３２Ｂ、４２Ｂによって行い、耳紐２１、２２は第１のガイド溝３２Ａ、４２Ａと第２のガイド溝３２Ｂ、４２Ｂとに沿って所定角度を持って保持されるため、耳紐２１、２２にねじれを生じることが無い。
また、本発明によれば、２つのバックル３０、４０をそれぞれ耳下位置に配置することで肉ばさみを防止することができる。
【００１９】
なお、上記実施例においては、ヘルメットの耳紐及び顎紐で説明したが、一方の帯状の紐と他方の帯状の紐とを連結する帯紐用バックルとして用いることもできる。
帯紐用バックルとして用いる場合には、上記実施例における耳紐２１、２２を一方の紐とし、顎紐２３を他方の紐とする。なお、帯紐用バックルの構成自体は、上記実施例で説明した第１のバックル３０又は第２のバックル４０と同一であるので説明を省略する。
【産業上の利用可能性】
【００２０】
本発明のヘルメットは、建築作業や土木作業などの工事現場における頭部保護用のヘルメット、オートバイなどの車両用のヘルメット、火災や地震などの震災時における頭部防護用のヘルメットに利用することができる。また本発明の帯紐用バックルは、ヘルメットの耳紐と顎紐との連結以外に、シートベルトにも適用できる。
【符号の説明】
【００２１】
１０  ヘルメット
１１  帽体
２１、２２  耳紐
２３  顎紐
３０  第１のバックル
３０Ａ  扇部
３０Ｂ  連結部
３１Ａ  第１の開口部
３１Ｂ  第２の開口部
３１Ｃ  第３の開口部
３２Ａ  第１のガイド溝
３２Ｂ  第２のガイド溝
３３Ａ、３３Ｂ  面状板部
３４  空洞部
３４Ａ  孔
３５  押圧部材
３６Ａ  中央部材
３６Ｂ  両側部材
３７  接続部
３７Ｃ  雄側当接面
３７Ｄ  角
４０  第２のバックル
４０Ａ  扇部
４０Ｂ  連結部
４１Ａ  第１の開口部
４１Ｂ  第２の開口部
４１Ｃ  第３の開口部
４２Ａ  第１のガイド溝
４２Ｂ  第２のガイド溝
４７Ａ  第４の開口部
５０  長さ調整部
【図１】
0005396201.tif 000002
【図２】
0005396201.tif 000003
【図３】
0005396201.tif 000004
【図４】
0005396201.tif 000005
【図５】
0005396201.tif 000006
【図６】
0005396201.tif 000007
【図７】
0005396201.tif 000008
【図８】
0005396201.tif 000009
【図９】
0005396201.tif 000010
【図１０】
0005396201.tif 000011
【図１１】
0005396201.tif 000012
【図１２】
0005396201.tif 000013